(57)【要約】    【課題】  被検査物体上に透明薄膜でパターンが形成されていて、その透明薄膜の膜厚が被検査物体上の位置によって変化している場合においても、高い検査精度で欠陥を検出できるパターン欠陥検査装置を提供する。    【解決手段】  被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置である。このパターン欠陥検査装置は、検出画像に隣接する少なくとも検出画像を挟んだ左右上下斜めに隣接する最近接８チップを含んで同一形状のパターンの画像から統計的演算処理により平均参照画像を生成する手段と検出画像を生成された平均参照画像と比較して欠陥を検出する手段とを備える。【選択図】  図２
2005156475.tif 000002
【特許請求の範囲】
【請求項１】
被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置において、検出画像に隣接する少なくとも検出画像を挟んだ左右上下の最近接４チップを含んで同一形状のパターンの画像から統計的演算処理により平均参照画像を生成する手段と検出画像を生成された平均参照画像と比較して欠陥を検出する手段とを備えたことを特徴とするパターン欠陥検査装置。
【請求項２】
被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置において、検出画像に隣接する少なくとも検出画像を挟んだ左右上下斜めに隣接する最近接８チップを含んで同一形状のパターンの画像から統計的演算処理により平均参照画像を生成する手段と検出画像を生成された平均参照画像と比較して欠陥を検出する手段とを備えたことを特徴とするパターン欠陥検査装置。
【請求項３】
請求項２において、前記平均参照画像を生成する統計的演算処理が、前記最近接８チップの画像の対応する各画素上の信号強度についての２次曲面を算出し、前記検出画像のｇ（ｘ、ｙ）点における画素に対応する画素についての２次曲面上の平均信号強度を求め、平均信号強度と前記ｇ（ｘ、ｙ）点における信号強度と比較することからなることを特徴とするパターン欠陥検査装置。
【請求項４】
請求項１または２のパターン欠陥検査装置において、平均参照画像を生成する統計的演算処理が検出画像の上下左右斜めに隣接する最近接する同一形状のパターンから適合する２次曲面を算出する処理であることを特徴とするパターン欠陥検査装置。
【請求項５】
請求項４のパターン欠陥検査装置において、適合する２次曲面を求める計算手法が最小二乗法であり、その計算の際に同時に平均二乗誤差を算出する手段とその平均二乗誤差を用いて欠陥検出判定時の閾値を決定する手段とその閾値にもとづいて欠陥の有無を判定する手段を備えたことを特徴とするパターン欠陥検査装置。
【請求項６】
被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置において、検出画像に隣接する少なくとも検出画像を挟んだ左右上下斜めに隣接する少なくとも最近接８チップの同一形状のパターンと検出画像の両方から統計的演算処理により平均参照画像を生成する手段と検出画像を生成された平均参照画像と比較して欠陥を検出する手段とを備えたことを特徴とするパターン欠陥検査装置。
【請求項７】
被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査方法において、検出画像に隣接する少なくとも検出画像を挟んだ左右上下の最近接４チップを含んで同一形状のパターンの画像から統計的演算処理により平均参照画像を生成し、検出画像を生成された平均参照画像と比較して欠陥を検出することを特徴とするパターン欠陥検査方法。
【請求項８】
被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査方法において、検出画像に隣接する少なくとも検出画像を挟んだ左右上下斜めに隣接する最近接８チップを含んで同一形状のパターンの画像から統計的演算処理により平均参照画像を生成し、検出画像を生成された平均参照画像と比較して欠陥を検出することを特徴とするパターン欠陥検査方法。
【発明の詳細な説明】
【技術分野】
【０００１】
本発明は、半導体ウェハ、フォトマスク、プリント基板等の検査対象物体上に形成された複数のパターンの画像を検出し欠陥検査を行うパターン欠陥検査装置およびパターン欠陥検査方法に関する。
【背景技術】
【０００２】
一般にパターンの欠陥検査では、被検査物体の画像を撮像する画像検出手段として一次元イメージセンサが用いられる。図４はイメージセンサの構成図であり、図５は、被検査物体の検査領域の平面図で、イメージセンサでパターンの検査領域を走査する場合に、一回の走査で画像が検出できる領域を示す。イメージセンサ８の光検出器の画素８１の配列方向と直交する方向に検査対象物体を走査して二次元画像を取得する。複数の画素８１が並んだ方向の長さをイメージセンサ８の高さと呼ぶ。また、被検査物体を製造中の複数の半導体チップを有する半導体ウェハとした場合、一つのチップのイメージセンサ８の高さと同じ方向の長さをチップ高さと呼ぶ。一般にチップ高さはイメージセンサ８の高さより大きいので、イメージセンサ８の一回の走査ではチップの部分の画像しか検出できない。このチップの部分画像の大きさは、検出を行うイメージセンサ８の高さと、チップ画像をこのイメージセンサ８に投影する結像光学系の結像倍率とで決まる。この高さをイメージセンサ８の有効撮像高さと呼ぶ。一般に使用されているイメージセンサと結像光学系の組合せでは、有効撮像高さはチップ高さより小さいので、チップ全面を検査するためには、複数回高さ方向にずらして走査する方法が用いられている。
【０００３】
図６はウェハ上に形成された複数個のチップ２１をイメージセンサで複数回走査する場合のセンサ走査軌跡１０１を示す平面図である。一般にパターン欠陥検査装置では、イメージセンサは固定されており、ステージを用いて被検査対象のウェハを移動させている。まずＸ方向に被検査物体を移動させて画像を取得する。一つのチップ２１の画素毎の情報は走査順にメモリに記憶される。一回の走査で画像検出が終わった後、イメージセンサの有効撮像高さ分だけＹ方向に被検査物体を移動させ、図６では破線で示すように走査方向が逆になるようにステージを移動させ、これを繰り返すことで画像を順次検出する。
【０００４】
チップ２１の検査は同じパターン同士の画像比較により行われるが、領域ｂを検査する場合は、参照画像として検査領域ｃの画像を用いる。しかし、走査される各行の先頭チップである領域ａを検査する場合には、同じパターンの一つ前の領域の参照画像が存在しないため、検査ができない。そのため、ウェハの外周に検査ができない領域が発生してしまう。以上の理由より、ウェハ外周チップで検査できないチップが発生する。
【０００５】
従来のパターン欠陥検査装置では、上記の問題を走査方法を変えることで解決したものも存在する（例えば、特許文献１参照）。図７は、図６と同じく、イメージセンサの走査軌跡を示す平面図である。この場合、イメージセンサの有効撮像高さがチップ高さの１／３であり、検査領域を短冊状に３つの領域に分けて走査するものとする。Ｘ方向の１行目の走査は図６に示したものと同様であるが、２行目は被検査物体をＹ方向へ１チップの高さ分だけ移動させ走査する。これを繰り返し、チップの１／３の領域分の同じパターンの画像を比較検査する。最後の行が終了したら、図６中に破線で示すように、チップの次の１／３の領域の同じパターンの画像を比較検査する。初めのチップが終了したら、チップの残りの１／３の領域の同じパターンの画像を比較検査する。
【０００６】
折返し直後の領域ｂを検査する場合、参照画像となる領域ｃの画素情報の読み出しは記憶時の順序とは逆の順序で読み出すことによって、領域ｂと領域ｃとを同一パターンの画像として比較検査ができる。なお、検査の開始の時の領域ａの参照画像として、予め同じパターンの他の領域の画像を記憶させておくことにより、領域ａの検査も可能とすることができる。
しかし、図６に示される走査軌跡で検査を行うパターン欠陥検査装置でも、また図６に示される走査軌跡で検査を行うパターン欠陥検査装置でも、あるチップの検出画像の比較検査は直前の同一パターンのチップの参照画像と比較することにより行っている。このように直前の一つのチップの画像を参照画像とすることによって以下の問題が生じる。
【０００７】
一般にパターン欠陥検査の対象となる被検査物体においては、フォトレジストやＳｉＯ2等の絶縁膜のように、可視光の波長に対して透明な材料でパターンが形成されていることが多い。この場合、薄膜が欠陥検査装置で使用している光の波長に対して透明であっても、光の干渉効果によって、その光の波長とパターンを形成する材料の屈折率および膜厚で決まる反射率を示すことから、欠陥検査装置ではその存在を明暗の画像として検出することができる。図１は欠陥検査装置で使用している光の波長に対して透明な材料で薄膜状のパターンが形成されているウェハの例を示す。一般にこのようなウェハにおいては、薄膜パターンの膜厚はウェハ全面で完全に均一とはならず、場所によって膜厚が若干異なる現象を生じるが、ある程度の膜厚誤差はこのような半導体チップの製造上影響がないものとして許容される。しかし、場所によって膜厚が異なると、パターンの反射率が異なるため、検出される画像の明るさに差を生じる。このような現象を色ムラと称する。例えば、図１の隣り合うチップｎと直前のチップｎ−１で、その中に含まれる同一形状のパターンｐにおける膜厚が異なり色ムラが生じているとする。この場合、チップｎを検出画像、チップｎ−１を参照画像として比較検査を行うと、パターンｐはこれらの２画像間で形状が同一で、欠陥が存在しないにも関わらず、画像としての明暗が異なるため、欠陥であるとして誤検出されてしまう。このような偽の欠陥情報は、真の欠陥との区別が困難になるため、検査装置の信頼性に大きく関わる問題である。
【０００８】
従来から、このような偽の欠陥情報を拾わないようにするための対策として、
（１）検出画像と参照画像を比較検査する際に、どのくらいの差をもって優位差有りと判定するかの基準となる閾値を色ムラを拾わない程度に大きくする。
（２）検出画像−参照画像間に生じている色ムラの影響を補正してやり、色ムラを除去した状態で比較検査を行う。
という２つの方法が行われている。しかし（１）の方法は、検査装置の検出感度を下げることに他ならず、真の欠陥に対しての検出能力も同時に低下する問題がある。また（２）は、例えば特許文献２に示されているような方法であるが、検出画像のチップ位置における色ムラの程度を、直前のチップの参照画像から推定することは、即ち過去の既知情報から未来の未知情報を外挿により推定することであり、また利用できる情報が検出画像１面と参照画像１面の２画像分と少ないため、色ムラの影響を補正・除去できる効果が限られているという問題があった。
【０００９】
特許文献３には、繰り返される被検査パターンから画像信号を検出し、この検出された画像信号から繰り返される被検査パターンの統計画像信号を生成し、この生成された統計画像信号を基準画像信号として前記検出された画像信号と位置合わせして比較することによって被検査パターンに存在する欠陥または欠陥候補を抽出する被検査パターン検査方法が記載されている。
【００１０】
特許文献４には、第１のパターンを順次取り込む手段と、該手段で取り込まれた第１のパターン加算平均を算出し、第２のパターンを生成するパターン生成手段と、生成された第２のパターンと、新たに取り込まれた第１のパターンとを比較し、そのパターン差を検出する手段とを備え、パターン差によって欠陥を検出する表面欠陥検査装置が記載されている。
【００１１】
特許文献５には、１枚のウェハをダイシングすることによって得られる複数の半導体チップの濃淡情報を順次一時的に記憶する第１画像メモリと、上記第１の画像メモリの濃淡情報と比較判定を行うための基準の濃淡情報を記憶する第２の画像メモリと、上記第１画像メモリと第２画像メモリの濃淡情報を比較し良品の半導体チップを検出する良品検出部と、上記良品検出部が良品と判断した時に上記第１画像メモリと第２画像メモリの濃淡情報の演算を行い、該演算結果で第２画像メモリの濃淡情報を書き替え、新らたな基準の濃淡情報となるようにする画像平均化処理部を具備した半導体チップの外観検査装置が記載されている。
【００１２】
【特許文献１】特開平１１−１６０２４７号公報
【特許文献２】特開２０００−９７８６９号公報
【特許文献３】特開平１０−７４８１２号公報
【特許文献４】特開平３−２８６３８３号公報
【特許文献５】特開平５−２１８１６０号公報
【発明の開示】
【発明が解決しようとする課題】
【００１３】
本発明の目的は、透明薄膜でパターンが形成されており、検出画像の位置と参照画像の位置でその膜厚が異なっている場合においても、パターン欠陥の検査精度を向上させることを可能としたパターン欠陥検査装置およびパターン欠陥検査方法を提供することにある。
【課題を解決するための手段】
【００１４】
上記目的を達成するために、本発明は、被検査物体上に行列方向に等間隔で連続的に配列された同一形状を有するパターンのうち、検出画像に隣接する少なくとも検出画像を挟んだ前後を含む２以上の複数の同一形状のパターンの画像から平均参照画像を生成する。
【００１５】
そのために本発明は、検出画像と、検出画像に隣接する少なくとも検出画像を挟んだ前後を含む２以上の複数の同一形状のパターンの画像を記憶する画像記憶手段と、それらの記憶された画像から統計的演算処理により平均参照画像を生成する平均参照画像生成手段と、検出画像とその平均参照画像を比較検査して欠陥を検出する画像比較手段を備える。
【００１６】
本発明は、更に上下方向の２つのパターンを加えて平均参照画像を検出画像の上下左右４つの同一形状のパターンから統計的演算処理により生成することを特徴とする。
【００１７】
この構成によれば、参照画像を少なくとも検出画像を挟んだ左右および上下の４つの画像から生成することによって検出画像位置での色ムラの状態に近い状態の参照画像を得ることができるため、この参照画像と検出画像とを比較検査する際に色ムラの影響を効果的に軽減することができ、色ムラの影響の大きい被検査物体においてもパターン欠陥の検査精度を向上させることを可能とした欠陥検査装置および欠陥検査方法を提供することができる。
【発明の効果】
【００１８】
本発明によれば、被検査物体上に透明薄膜でパターンが形成されていて、その透明薄膜の膜厚が被検査物体上の位置によって変化している場合においても、色ムラの影響を除去または軽減し、高い検査精度で欠陥を検出できるパターン欠陥検査装置を実現できる。
【発明を実施するための最良の形態】
【００１９】
本発明のパターン欠陥検査装置は、被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置であって、検出画像に隣接する少なくとも検出画像を挟んだ左右上下斜めに隣接する最近接８チップを含んで同一形状のパターンの画像から統計的演算処理により平均参照画像を生成する手段と検出画像を生成された平均参照画像と比較して欠陥を検出する手段とを備えたことを特徴とする。
【００２０】
この構成によれば、参照画像を少なくとも検出画像を挟んだ左右上下および斜めに隣接する最近接する８つの画像から生成することによって検出画像位置での色ムラの状態に近い状態の参照画像を得ることができるため、この参照画像と検出画像とを比較検査する際に色ムラの影響を効果的に軽減することができ、色ムラの影響の大きい被検査物体においてもパターン欠陥の検査精度を向上させることを可能とした欠陥検査装置および欠陥検査方法を提供することができる。
【００２１】
平均参照画像を生成する統計的演算処理は、検出画像の上下左右斜めに隣接する最近接する同一形状のパターンの単純平均を行う。
あるいは、平均参照画像を生成する統計的演算処理は、検出画像の上下左右斜めに隣接する最近接する８つの同一形状のパターンから適合する２次曲面を算出する処理を行う。
【００２２】
適合する２次曲面を求める計算手法は、最小二乗法であり、その計算の際に同時に平均二乗誤差を算出する手段とその平均二乗誤差を用いて欠陥検出判定時の閾値を決定する手段とその閾値にもとづいて欠陥の有無を判定する手段を備える。
【００２３】
本発明は、また被検査物体上に行列方向に等間隔で連続的に配列された同一形状を有するパターンをイメージセンサを走査して得られる検出画像とその行列方向に隣接する同一形状のパターンを走査して得られる参照画像とを比較して欠陥を検出するパターン欠陥検査装置において、検出画像に隣接する少なくとも検出画像を挟んだ左右上下斜めに隣接する少なくとも最近接８チップの同一形状のパターンと検出画像の両方から統計的演算処理により平均参照画像を生成する手段と検出画像をその生成された平均参照画像と比較して欠陥を検出する手段とを備えたパターン欠陥検査装置として構成することができる。
【実施例】
【００２４】
本発明の一実施例を、図面を参照して説明する。
図８は、パターン欠陥検査装置の概略構成図である。被検査物体であるウェハ３は、高さ方向への移動と回転が可能なＺθステージ２上に固定され、Ｚθステージ２は水平方向であるＸ方向とＹ方向に移動可能なＸＹステージ１の上に設置されている。
【００２５】
ウェハ３の上方には、照明光源４からの照明光をウェハ３側へ向けるハーフミラー５があり、対物レンズ６を経てウェハ３を照明する。ウェハ３上で反射された反射光は対物レンズ６、ハーフミラー５を経て、検出光としてイメージセンサ８で受光される構成となっている。また、ハーフミラー７で分岐された光は自動焦点検出手段９に入り、最適焦点位置を算出し、Ｚθステージ２のＺステージに移動指令を与え、最適焦点で画像が検出できるようになっている。イメージセンサ８で受光された検出光は、Ａ／Ｄ変換器１０を通じてデジタル信号に変換され、画像記憶手段１１に記録される。
【００２６】
一般にチップ高さはイメージセンサ８の有効撮像高さより大きいので、チップ２１の全面を検査するためには、チップ２１の領域をイメージセンサの有効撮像高さで分割し、複数回高さ方向にずらして走査する。一例としてイメージセンサの有効撮像高さがチップ高さの１／３であり、検査領域を短冊状に３つの領域に分けて走査するものとすると、走査の手順は図７に示すように、Ｘ方向の１行目の走査を左から右へ行った後、２行目は被検査物体をＹ方向へ１チップの高さ分だけ移動させ走査する。これを繰り返し、チップの１／３の領域分の同じパターンの画像を比較検査する。最後の行が終了したら、図７中に破線で示すように、チップの次の１／３の領域の同じパターンの画像を比較検査する。初めのチップが終了したら、チップの残りの１／３の領域の同じパターンの画像を比較検査することによりチップ２１全面の検査を終了する。
【００２７】
後述のように本発明の実施例では、検出画像と比較検査をする対象になる参照画像を、検出画像のチップに対し上下左右斜めに隣接する最近接８チップの画像から生成する。このため、前出の画像検出手段１１は３行分のチップ列に対してイメージセンサ８の有効撮像高さ分の全画像を記憶できる容量が必要となる。ここで「左右」とは検出画像の走査方向の前後であり、「上下」とは走査方向がチップ高さだけ変えられて折り返したときの検出画像の上下ということであり、「斜めに隣接する」とは走査方向がチップ高さだけ変えられて折り返したときの「上下」に隣接する４つの画像を意味する。詳細は図２に示される。被検査対象ウェハの直径を300mm、検査時の画素寸法（被検査物体上での寸法）を0.2μｍ×0.2μｍ、イメージセンサの高さ方向の総画素数を4,096とし、各画素毎の画像情報の格納に１byteを要するとした場合、必要な容量は、
300mm÷0.2μｍ×4,096×1byte×３＝約１７Gbyte
（ただし１Gbyte＝1,073,741,824byte）
となる。従来このような大容量は記録速度のきわめて遅い磁気記憶媒体によってのみ実現可能であったため検査中に実時間で処理を行う必要のあるパターン欠陥検査装置ではこのような技術を実現することは現実的ではなかったが、最近の半導体素子の進歩により、この程度の記憶容量は半導体メモリの集合で十分実現可能となってきた。
【００２８】
図２は、半導体ウェハおよび拡大部の平面図である。本実施例のパターン欠陥検査では、検査領域に隣接する領域の画像を記憶して参照画像とし、この参照画像と検査領域の画像とを比較し、両者の差異の部分を欠陥として抽出する。図２に示すような１枚のウェハ３上には、個別に製品となるチップ２１が複数個配列されている。これらのチップ２１は同一形状のパターンとして行列方向に一定間隔で連続的に配置されている。ここでは、チップ（ｍ，ｎ）内の検査領域ａにおける欠陥の有無を検出する場合の動作について説明を行う。被検査対象のウェハを図中下から順次、第ｎ−１行、第ｎ行、第ｎ＋１行と走査し、第ｎ＋１行の第ｍ＋１列のチップまで走査が終了し画像が画像記憶手段１１に記憶されると、平均参照画像生成手段１２は、
（ｍ−１，ｎ−１）
（ｍ    ，ｎ−１）
（ｍ＋１，ｎ−１）
（ｍ−１，ｎ    ）
（ｍ＋１，ｎ    ）
（ｍ−１，ｎ＋１）
（ｍ    ，ｎ＋１）
（ｍ＋１，ｎ＋１）
の８画像の対応する画素の信号強度の単純平均（算術平均）を順次計算することにより、これら８画像の平均としての平均参照画像を生成する。ただし、第ｎ−１行および第ｎ＋１行の各チップと第ｎ行の各チップとは、ステージの走査方向が逆になっているため、記憶画像の読み出し時は逆方向に読み出すことで画像情報の方向を合わせる。
【００２９】
次にチップ（ｍ，ｎ）の画像が検出画像として読み出され、前記平均参照画像と共に画像比較手段１３に渡される。画像比較手段では、これら２画像の対応する画素の信号強度の比較を順次行い、指定された閾値以上の差が発見された画素が欠陥として検出される。
【００３０】
本実施例において生成される平均参照画像は、検出画像のチップを挟んで上下左右斜めに最近接する８チップから算出されるため、これら周囲の８チップの画像から中央のチップ位置における画像を内挿によって求めていることになる。このため、パターンを形成している透明薄膜の膜厚がチップの間隔に対して急激に増減の変化をしている特殊な場合を除き、この平均参照画像に含まれる色ムラの状態は、これら８チップの中央に位置する検出画像のチップにおける色ムラの状態に十分近いことが期待できる。一般に、半導体ウェハではチップの間隔はウェハ直径の１／１０以下であり、膜厚誤差が製品としての許容範囲内にある半導体ウェハにおいては、パターンを形成している透明薄膜の膜厚の変化がチップの間隔内では単調に増加または減少する分布をとっていると仮定して差し支えない。このように本実施例の欠陥検査方法では、［背景技術］で記載した、例えば特許文献２に示されているような、検出画像のチップ位置における色ムラの程度を、検出画像１面と直前のチップの参照画像１面の合計２画像分の情報のみを用いて推定し補正する方法に比べ、簡単な計算処理で確実な効果を得ることが可能である。
【００３１】
なお、上記では平均参照画像を、各画素毎に検出画像周辺の最近接８チップの単純平均（算術平均）を計算することで求めているが、これら８チップの画像の対応する各画素毎に、最小二乗法によって最も良く適合する２次曲面
ｇ（ｘ、ｙ）＝ａｘ2＋ｂｙ2＋ｃｘｙ＋ｄｘ＋ｅｙ＋ｆ    ……（式１）
を求め、中央の検出画像のチップ位置におけるこのｇ（ｘ、ｙ）の値をその画素の明るさについての信号強度として求めるようにしても良い。すなわち、平均参照画像を生成する統計的演算方法が、最近接８チップの画像の対応する各画素上の明るさの信号強度についての２次曲面を算出し、検出画像のｇ（ｘ、ｙ）点における画素に対応する２次曲面上の信号強度を求め、この平均信号強度と前述のｇ（ｘ、ｙ）点における信号とを比較することを行う。図３は、２次曲面図である。黒点は、各チップ画像内の位置（ｘ、ｙ）における信号強度を表し、黒丸の８点から統計的演算で二次曲面を算出し、星印で示す検出チップ画像内の位置（ｘ、ｙ）における信号強度に対して算出した二次曲面上の、検出に対応する位置の信号強度を求める。途中の計算過程は省略するが、この計算は非常に簡単な結果となり、平均参照画像の各画素の信号値は、チップ（ｐ，ｑ）における着目した画素の信号値をＩp,qと表記すると、
Ｉm,n  ＝−0.25×Ｉm-1,n+1＋0.5×Ｉm,n+1−0.25×Ｉm+1,n+1
＋0.5 ×Ｉm-1,n              ＋0.5 ×Ｉm+1.n
−0.25×Ｉm-1,n-1＋0.5×Ｉm,n-1−0.25×Ｉm+1,n-1
と計算することができる。この方法では、単純平均（算術平均）に比べ、計算はやや複雑になるが、チップ間隔に対して膜厚がより急に変化している場合でも、より精度の高い平均参照画像を生成することができる利点がある。
【００３２】
またこの最小二乗法を用いる方法では、適合する２次曲面を求める際、同時に平均二乗誤差（求めた２次曲線と、元の標本データとの二乗誤差の期待値）を求めることができることから、別の利点もある。一般に、欠陥を持たない同一形状のパターン同士を比較する場合でも、画像信号に重畳する種々の雑音成分や、欠陥には分類しない程度の微少な形状のゆらぎ等の存在により、画像の差を計算すると必ずしもゼロとはならない。そのため欠陥の有無を判定する際には、画像の差が閾値として予め設定された一定値を超えた場合にのみ欠陥として検出する必要がある。しかし閾値の決定は、大きすぎると感度が必要以上に低下し、また小さすぎると実際には欠陥がない場合でも雑音成分等を拾って偽の欠陥情報を発生してしまう、というように適切に設定するには困難が伴う。この平均二乗誤差は、これら８チップに含まれる同一形状のパターンが、この２次曲線を用いて色ムラ等の影響を補正した後でも、どのくらいバラツキを持っているかの指標となるため、欠陥の有無を判定する際の閾値を検査中にこの数値を用いて動的に決定すると、実際のバラツキを反映して閾値を決定することができ、雑音成分やパターン形状のゆらぎが大きいところでは自動的に閾値を増加させ、逆にそれらの影響の小さいところでは自動的に閾値を下げて検査することが可能になり、効果的に欠陥を検出できる利点が得られる。
【図面の簡単な説明】
【００３３】
【図１】表面に透明薄膜でパターンが形成されたウェハの平面図。
【図２】半導体ウェハおよび拡大部の平面図。
【図３】算出された２次曲面を表す図。
【図４】イメージセンサの構成図。
【図５】被検査物体の検査領域の平面図。
【図６】複数個のチップをイメージセンサで複数回走査する場合のセンサ走査軌跡を示す平面図。
【図７】イメージセンサの走査軌跡を示す平面図。
【図８】パターン欠陥検査装置の概略構成図。
【符号の説明】
【００３４】
１…ＸＹステージ、２…Ｚθステージ、３…ウェハ、４…照明光源、５、７…ハーフミラー、６…対物レンズ、８…イメージセンサ、９…自動焦点検出手段、１０…Ａ／Ｄ変換器、１１…画像記憶手段、１２…平均参照画像生成手段、１３…画像比較手段、２１…チップ、８１…画素。
【図１】
2005156475.tif 000003
【図２】
2005156475.tif 000004
【図３】
2005156475.tif 000005
【図４】
2005156475.tif 000006
【図５】
2005156475.tif 000007
【図６】
2005156475.tif 000008
【図７】
2005156475.tif 000009
【図８】
2005156475.tif 000010